(57)【要約】      （修正有）【課題】ユーザが身に付けた際に自動で芳香剤を放出することができるウエアラブルデバイスの提供。【解決手段】交換可能な薬剤カートリッジ２１を収納するカートリッジ差込部２２と、カートリッジ差込部２２に挿入された薬剤カートリッジ２１の薬剤、すなわち芳香剤またはデオドラント剤を加熱するヒータ１３と、装着検出部としての感圧スイッチ１５と、感圧スイッチ１５が圧力を検出することによりユーザの腕の装着された判断するとヒータ１３に加熱を開始させる制御部１１と、を備える腕時計１０。感圧スイッチ１５は当該腕時計１０をユーザが装着した際にユーザの肌と接触する箇所に設けられている腕時計１０。【選択図】図１
2015228943.tif 000002
【特許請求の範囲】
【請求項１】
交換可能な芳香剤またはデオドラント剤を収納する薬剤収納部と、
前記薬剤収納部に収納された前記芳香剤または前記デオドラント剤を加熱するヒータと、
装着検出部と、
前記装着検出部が装着されたことを検出すると前記ヒータに加熱を開始させる制御部とを備えるウエアラブルデバイスであって、
前記装着検出部は当該ウエアラブルデバイスがユーザの身体に装着されたことを検出するウエアラブルデバイス。
【請求項２】
スケジュールの開始時刻を保存する記憶部と、
交換可能な芳香剤またはデオドラント剤を収納する薬剤収納部と、
前記薬剤収納部に収納された前記芳香剤または前記デオドラント剤を加熱するヒータと、
前記記憶部に保存されている前記スケジュールの開始時刻よりも所定の時間だけ早い時刻に前記ヒータに加熱を開始させる制御部と、を備えるウエアラブルデバイス。
【請求項３】
交換可能な芳香剤またはデオドラント剤を収納する薬剤収納部と、
前記薬剤収納部に収納された前記芳香剤または前記デオドラント剤を加熱するヒータと、
被写体を撮影する撮影部と、
前記撮影部により撮影して得られた画像から人物の顔を検出する顔検出部と、
前記顔検出部が顔を検出すると前記ヒータに加熱を開始させる制御部とを備えるウエアラブルデバイス。
【請求項４】
請求項３に記載のウエアラブルデバイスにおいて、
前記制御部は、前記顔検出部が検出した顔の大きさが当該顔が検出され画像の所定以上の割合を占める場合に前記ヒータに加熱を開始させるウエアラブルデバイス。
【請求項５】
請求項３または４に記載のウエアラブルデバイスにおいて、
前記顔検出部が検出した顔の画像を用いて当該人物の性別および年齢層を推定する属性推定部をさらに備え、
前記制御部は、前記属性推定部が推定した性別および年齢層が所定の性別および年齢層の場合に前記ヒータに加熱を開始させるウエアラブルデバイス。
【請求項６】
交換可能な芳香剤またはデオドラント剤を収納する薬剤収納部と、
所定の時間間隔ごとに臭いを検出する臭い検出部と、
前記薬剤収納部に収納された前記芳香剤または前記デオドラント剤を加熱するヒータと、
前記臭い検出部が臭いを検出すると前記ヒータに加熱を開始させる制御部と、を備えるウエアラブルデバイス。
【発明の詳細な説明】
【技術分野】
【０００１】
本発明は、ウエアラブルデバイスに関する。
【背景技術】
【０００２】
いつでもどこでも香りを楽しむことのできる、ウエアラブル型の芳香装置が知られている。特許文献１には、ユーザの操作により芳香剤を気化させて放出する、ウエアラブル型の芳香装置が開示されている。
【先行技術文献】
【特許文献】
【０００３】
【特許文献１】特開２０１０−２５６１０５
【発明の概要】
【発明が解決しようとする課題】
【０００４】
特許文献１に記載されている発明では、発明に係る装置をユーザが身に付けた際に自動で芳香剤を放出することができない。
【課題を解決するための手段】
【０００５】
（１）請求項１に記載のウエアラブルデバイスは、交換可能な芳香剤またはデオドラント剤を収納する薬剤収納部と、薬剤収納部に収納された芳香剤またはデオドラント剤を加熱するヒータと、装着検出部と、装着検出部が装着されたことを検出するとヒータに加熱を開始させる制御部とを備えるウエアラブルデバイスであって、装着検出部は当該ウエアラブルデバイスがユーザの身体に装着されたことを検出する。
（２）請求項２に記載のウエアラブルデバイスは、スケジュールの開始時刻を保存する記憶部と、交換可能な芳香剤またはデオドラント剤を収納する薬剤収納部と、薬剤収納部に収納された芳香剤またはデオドラント剤を加熱するヒータと、記憶部に保存されているスケジュールの開始時刻よりも所定の時間だけ早い時刻にヒータに加熱を開始させる制御部と、を備える。
（３）請求項３に記載のウエアラブルデバイスは、交換可能な芳香剤またはデオドラント剤を収納する薬剤収納部と、薬剤収納部に収納された芳香剤またはデオドラント剤を加熱するヒータと、被写体を撮影する撮影部と、撮影部により撮影して得られた画像から人物の顔を検出する顔検出部と、顔検出部が顔を検出するとヒータに加熱を開始させる制御部とを備える。
（４）請求項６に記載のウエアラブルデバイスは、交換可能な芳香剤またはデオドラント剤を収納する薬剤収納部と、所定の時間間隔ごとに臭いを検出する臭い検出部と、薬剤収納部に収納された芳香剤またはデオドラント剤を加熱するヒータと、臭い検出部が臭いを検出するとヒータに加熱を開始させる制御部と、を備える。
【発明の効果】
【０００６】
本発明によれば、発明に係る装置をユーザが身に付けた際に自動で芳香剤を放出することができる。
【図面の簡単な説明】
【０００７】
【図１】第１の実施の形態における腕時計および携帯端末のブロック図
【図２】本発明にかかる腕時計の平面図
【図３】図２から表示部などを消去した図
【図４】本発明にかかる腕時計の断面図
【図５】本発明にかかる腕時計の側面図
【図６】対応表の一例を示す図
【図７】設定情報の一例を示す図
【図８】腕時計の制御部が実行するプログラムの動作を表すフローチャート
【図９】第２の実施の形態における腕時計および携帯端末のブロック図
【図１０】嗜好芳香リストの一例を示す図
【図１１】第２の実施の形態における設定情報の一例を示す図
【発明を実施するための形態】
【０００８】
（第１の実施の形態）
以下、図１〜８を参照して、本発明を腕時計に適用する第１の実施の形態を説明する。
図１は、腕時計１０の構成および腕時計１０が通信する携帯端末３０の構成を示すブロック図である。図２は、腕時計１０の外観を示す平面図であり、原則として当該図面の視点からでは直接視認できないものは記入していない。ただし、時計バンド２５との位置関係を明示するため、感圧スイッチ１５のみ当該図面の視点からは視認できないが、点線を用いてその位置を示している。図３は、図２から表示部１８などを省略した図であり、より正確には図４のＢ−Ｂ断面図である。図４は図２のＡ−Ａ断面図、図５は腕時計１０の側面図である。
腕時計１０と携帯端末３０は、同一人物が使用することとし、以下ではその人物をユーザと呼ぶ。
【０００９】
以下、図１〜５を参照して腕時計１０の構成を説明する。腕時計１０は、制御部１１と、記憶部１２と、ヒータ１３と、ファンモータ１４と、感圧スイッチ１５と、撮影部１６と、通信部１７と、表示部１８と、入力部１９と、カートリッジ検出部２０と、カートリッジ差込部２２と、通気孔２３と、時計バンド２５と、精密機器収納部２６とを備える。ただし、時計バンド２５は図２にのみ表示しており、他の図では描画を省略する。腕時計１０は、１つの薬剤カートリッジ２１に対応するヒータ１３、カートリッジ検出部２０、およびカートリッジ差込部２２を４組備えており、同時に４つの薬剤カートリッジ２１を装着できる。
【００１０】
制御部１１は、不図示のＣＰＵ、ＲＯＭおよびＲＡＭから構成され、腕時計１０の精密機器収納部２６に収納される。制御部１１は、ＲＯＭに保存する後述のプログラムを、ＲＡＭに展開して実行する。また、制御部１１は、ヒータ１３と、ファンモータ１４と、感圧スイッチ１５と、撮影部１６と、通信部１７と、表示部１８と、入力部１９と、カートリッジ検出部２０と、信号線で接続されている。制御部１１は、タイマーを内蔵しておりヒータ１３に通電を開始するとタイマーのカウントダウンを開始し、所定の時間、たとえば５分を経過すると通電を停止する。
記憶部１２は、フラッシュメモリから構成され、記憶部１２には、対応表１２ａと、設定情報２７と、顔特徴量データベース２８と、タイマー時刻表２９とが記憶される。対応表１２ａは、薬剤カートリッジ２１の先端の形状と薬剤カートリッジ２１の名称の対応を示した表であり、たとえば図６に示すものである。ただし、図６では薬剤カートリッジ２１の先端の形状を画像により表示しているが、実際には切り欠き部の数、幅、間隔、深さ、などを数値データとして記録する。
【００１１】
設定情報２７は、Ａ〜Ｃの３つの項目から構成され、項目Ａは、状況ごとに放出される薬剤の種類を、項目Ｂは、スケジュールの開始時刻に先んじてヒータ１３に通電を開始する時間を、項目Ｃは、顔を検出した際にヒータ１３による通電を行う顔の属性を示している。項目Ａは、通電する状況によりＡ１〜Ａ３に細分化されている。Ａ１は感圧スイッチが押された場合に参照され、Ａ２はスケジュールの開始時刻から所定の時間だけ前になった場合に参照され、Ａ３は所定の条件に合致する顔を検出した場合に参照される。
図７は、設定情報２７の一例を示している。項目Ａ１により、感圧スイッチが押されるとバニラの香りが放出され、項目Ａ２により、スケジュールの開始時刻から所定の時間だけ前になると消臭成分が放出され、項目Ａ３により、所定の条件に合致する顔を検出するとラベンダの香りが放出されることを示している。項目Ｂによりスケジュールの開始時刻から１０分前にヒータ１３に通電が開始され、項目Ｃにより２０歳以上の女性が対象属性となっていることを示している。
【００１２】
顔特徴量データベース２８には、性別および年齢層別が明らかな膨大な数の顔画像から作成した、性別および年齢層ごとに分類された顔の特徴量のサンプルが保存される。そのため、性別および年齢層が未知の顔画像があった場合に、その顔画像から特徴量を算出し、顔特徴量データベース２８に保存されている特徴量のサンプルと比較することにより、その性別と年齢層を推定できる。
タイマー時刻表２９には、携帯端末３０から受信した、スケジュールの開始時刻が列記される。
【００１３】
ヒータ１３は、制御部１１により不図示のバッテリーから通電されて高温になる。図３および図４に示すように、ヒータ１３はカートリッジ差込部２２に差込まれる薬剤カートリッジ２１の下部に配置されている。ヒータ１３が高温になると薬剤カートリッジ２１を加熱し、薬剤カートリッジ２１が含有する芳香剤、またはデオドラント剤（消臭剤）を揮発させる。腕時計１０はヒータ１３を４つ備え、ヒータ１３には１〜４の番号が割り当てられる。
ファンモータ１４は、ファンと小型モータとが一体になっており、制御部１１からの指令により回転する。図３および図４に示すように、薬剤カートリッジ２１から気化した薬剤は、ファンモータ１４により通気孔２３から腕時計１０の外部へ送り出される。ファンモータ１４の動作はヒータ１３と連動しており、制御部１１によりいずれかのヒータ１３に通電が開始されると、自動的にファンモータ１４も動作を開始する。
【００１４】
感圧スイッチ１５は、圧力を検出するタッチセンサであり、図４に示すように、腕時計１０のユーザの腕と接触する箇所に設置される。そのため、ユーザが腕時計１０を装着すると感圧スイッチ１５が時計バンド２５によりユーザの腕に密着し、圧力を検出して制御部１１にスイッチが押されたことを伝達する。ただし、継続して圧力を検出している場合には、制御部１１に感圧スイッチ１５が押されていることを伝達しない。また、図２に示すように感圧スイッチ１５は、時計バンド２５と干渉しない位置に設置されている。そのため、ユーザが腕時計１０をテーブルなどに置いた場合は、時計バンド２５はテーブルなどに触れるが感圧スイッチ１５は宙に浮いた状態となり、感圧スイッチ１５は押されない。
【００１５】
撮影部１６は、レンズと、撮像素子と、Ａ／Ｄ変換器とから構成される。レンズにより被写体像が撮像素子の表面に形成され、制御部１１からの指令を受けると、撮像素子は被写体像をアナログの電気信号に変換してＡ／Ｄ変換器に出力し、Ａ／Ｄ変換器はその信号をデジタル信号に変換して制御部１１に出力する。すなわち、撮影部１６は制御部１１からの指令により撮影し、撮影して得られた画像を制御部１１に出力する。撮影部１６のレンズは、図５に示すように腕時計１０の両側面に設けられ、撮像素子およびＡ／Ｄ変換器は腕時計１０の精密機器収納部２６に設けられる。腕時計１０は撮影部１６を２つ備える。
【００１６】
通信部１７は、精密機器収納部２６に設けられ、携帯端末３０と通信する。
表示部１８は、液晶ディスプレイであり、制御部１１から送信されたデータを液晶ディスプレイに表示する。表示部１８には、たとえば現在時刻の他に設定情報２７が表示される。
入力部１９は、回転と押し込み操作が可能な龍頭であり、時計方向回転および反時計方向回転により項目を選択し、押し込みにより項目の決定を行う。たとえば、ユーザによる入力部１９からの操作により、設定情報２７が変更される。
【００１７】
カートリッジ検出部２０は、複数の位置変位センサを備える。後述する薬剤カートリッジ２１がカートリッジ差込部２２に差し込まれると、薬剤カートリッジ２１の先端部がカートリッジ検出部２０に触れる。複数の位置変位センサにより薬剤カートリッジ２１の先端の形状を読取り、制御部１１に伝達する。薬剤カートリッジ２１の先端の形状は、含有する薬剤の種類により異なるので、制御部１１は記憶部１２に保存されている対応表１２ａを参照することにより、カートリッジ検出部２０から伝達される先端の形状から薬剤の種類を判別できる。また、装着された薬剤カートリッジ２１がさらに押し込まれると、複数の位置変位センサが同時に同じ量だけ変位することから、カートリッジ検出部２０は薬剤カートリッジ２１が押し込まれたことを検出し、制御部１１に伝達する。すなわち、カートリッジ検出部２０はユーザによる薬剤カートリッジ２１の押し込み操作も検出できる。腕時計１０はカートリッジ検出部２０を４つ備え、カートリッジ検出部２０にはヒータ１３に対応する１〜４の番号が割り当てられる。すなわち、同一の番号を有するヒータ１３とカートリッジ検出部２０は、同一の薬剤カートリッジ２１を加熱または検出する。
【００１８】
薬剤カートリッジ２１は、薬剤、すなわち液体の芳香剤またはデオドラント剤を染み込ませた繊維質の物質を含み、染み込ませた薬剤の名称で呼ばれる。薬剤カートリッジ２１は、腕時計１０のカートリッジ差込部２２に差込まれた状態で、ヒータ１３により加熱される。図２および図３に示すように、薬剤カートリッジ２１の端部にはその薬剤カートリッジ２１の名称が記載されているため、カートリッジ差込部２２に差込まれた状態でも、ユーザは薬剤カートリッジ２１の名称を容易に識別することができる。また、薬剤カートリッジ２１の腕時計１０に差込まれる先端部、すなわちカートリッジ検出部２０と接触する部分は、含有する薬剤の種類ごとに異なる形状を有している。記憶部１２の対応表１２ａには、薬剤カートリッジ２１の形状と薬剤カートリッジ２１の名称の対応が記録されている。
【００１９】
カートリッジ差込部２２には、薬剤カートリッジ２１が差込まれる。
携帯端末３０の構成を説明する。携帯端末３０は、制御部３１と、記憶部３２と、通信部３７と、表示部３８と、入力部３９とを備える。
制御部３１は、不図示のＣＰＵ、ＲＯＭおよびＲＡＭから構成され、記憶部３２、通信部３７、表示部３８、および入力部３９と信号線により接続されている。
記憶部３２は、フラッシュメモリから構成され、ユーザが入力部３９から入力したスケジュールを記憶する。スケジュールは、少なくとも開始時刻を含む。
通信部３７は、腕時計１０と通信する。
表示部３８は、不図示の液晶ディスプレイから構成され、制御部３１からの指示によりスケジュールの入力画面などを表示する。
入力部３９は、不図示のボタンを備え、ユーザによるスケジュールの入力を記憶部３２に保存する。
【００２０】
（動作）
本発明に係る腕時計１０および携帯端末３０の動作を説明する。
あらかじめユーザは、携帯端末３０の入力部３９からスケジュールを入力しており、少なくとも開始時刻を含むスケジュールの情報が携帯端末３０の記憶部３２に記憶されているとする。
図８は、腕時計１０の制御部１１が実行するプログラムの動作を示すフローチャートである。制御部１１は、図８により動作が示されるプログラムを、一定時間ごとに、たとえば１分ごとに実行する。
【００２１】
ステップＳ１０１では、制御部１１は、感圧スイッチ１５から感圧スイッチ１５が押された旨の信号を受信したか否かを判断する。感圧スイッチ１５が押された旨の信号を受信したと判断する場合、すなわちユーザが腕時計１０を身に付けたと判断する場合はステップＳ１０２に進む。感圧スイッチ１５が押された旨の信号を受信していないと判断する場合、すなわちユーザが腕時計１０を身に付けていない、または継続して腕時計１０を身につけていると判断する場合はステップＳ１０３に進む。
ステップＳ１０２では、制御部１１は、記憶部１２に記憶されている設定情報２７から項目Ａ１の薬剤の名称を読み取る。制御部１１は、当該腕時計１０の全てのカートリッジ検出部２０に指令を出して薬剤カートリッジ２１の先端の形状を伝達させ、制御部１１のＲＯＭに保存されている対応表１２ａを参照して項目Ａ１に記載の薬剤を含む薬剤カートリッジ２１の挿入位置を特定する。そして、その下に設置されているヒータ１３に通電しステップＳ１０３に進む。前述のとおり、この通電は一定時間継続され、ファンモータ１４もヒータ１３と連動して一定時間動作する。
【００２２】
ステップＳ１０３では、制御部１１は、いずれかのカートリッジ検出部２０から押し込み操作信号を受信したか否かを判断する。いずれかのカートリッジ検出部２０から押し込み操作信号を受信したと判断する場合はステップＳ１０４に進み、いずれのカートリッジ検出部２０からも押し込み操作信号を受信していないと判断する場合はステップＳ１０５に進む。
ステップＳ１０４では、制御部１１は、押し込み操作信号を送信したカートリッジ検出部２０と同一の番号を有するヒータ１３に通電し、ステップＳ１０５に進む。前述のとおり、この通電は一定時間継続され、ファンモータ１４もヒータ１３と連動して一定時間動作する。
【００２３】
ステップＳ１０５では、制御部１１は、通信部１７により携帯端末３０と通信し、携帯端末３０の記憶部３２に保存されているスケジュールの開始時刻を取得する。そして、その時刻を記憶部１２のタイマー時刻表２９に記録する。ただし、タイマー時刻表２９に時刻が重複して記録されることを防止するために、すでに記録済みのスケジュールの開始時刻を取得してもタイマー時刻表２９には記録しない。次にステップＳ１０６に進む。
【００２４】
ステップＳ１０６では、制御部１１は、設定情報２７とタイマー時刻表２９とを参照し、現在時刻がスケジュールの開始時刻から遡ること所定の時間以内であるか否かを判断する。すなわち、設定情報２７から項目Ｂの時間を読み取り、現在時刻がタイマー時刻表２９に記録されているいずれかの時刻よりも前であり、なおかつその時刻から項目Ｂの時間だけ遡った時刻以降であるか否かを判断する。たとえば、タイマー時刻表２９に「２０１４年４月１日１４時１５分」と記憶されており、設定情報２７の項目Ｂの時間が１０分の場合は、現在時刻が２０１４年４月１日１４時５分から同日の１４時１５分の間であれば、所定の時間条件を満たすと判断し、現在時刻がそれ以外であれば所定の時間条件を満たさないと判断する。現在時刻が所定の時間条件を満たすと判断するとステップＳ１０７に進み、現在時刻が所定の時間条件を満たさないと判断するとステップＳ１０８に進む。
【００２５】
ステップＳ１０７では、制御部１１は、記憶部１２に記憶されている設定情報２７から項目Ａ２の薬剤の名称を読み取る。制御部１１は、当該腕時計１０の全てのカートリッジ検出部２０に指令を出して薬剤カートリッジ２１の先端の形状を伝達させ、制御部１１のＲＯＭに保存されている対応表１２ａを参照して項目Ａ２に記載の薬剤を含む薬剤カートリッジ２１の挿入位置を特定する。そして、その下に設置されているヒータ１３に通電しステップＳ１０８に進む。前述のとおり、この通電は一定時間継続され、ファンモータ１４もヒータ１３と連動して一定時間動作する。
ステップＳ１０８では、制御部１１は、撮影部１６により被写体を撮影し、撮影して得られた画像から人間の顔を検出してステップＳ１０９に進む。人間の顔の検出はたとえば、顔は略円形の輪郭であり、その中央部に縦方向の輪郭を有する鼻があり、鼻の上部には左右対称な位置に略円形の目があり、鼻の下には横長の輪郭を有する唇がある点などの特徴から検出する。次にステップＳ１０９に進む。
【００２６】
ステップＳ１０９では、制御部１１は、ステップＳ１０８において検出した顔が、撮影した画像のある所定の面積割合、たとえば２０％以上を占めるか否かを判断する。検出した顔が所定の割合以上を占めると判断する場合はステップＳ１１０に進み、検出した顔が所定の割合を占めない、もしくは顔が検出されないと判断する場合は図８のフローチャートを終了する。被撮影者が腕時計１０の近くにいる場合は、撮影部１６が撮影して得られた画像に被撮影者が大きく撮影されるので、本ステップＳ１０９では被撮影者が腕時計１０の近くにいるのか否かを簡易に判断している。
ステップＳ１１０では、制御部１１は、ステップＳ１０８において検出した顔の特徴量を算出し、顔特徴量データベース２８に保存されている特徴量のサンプルと比較することにより、被撮影者の属性、すなわち被撮影者の性別と年齢層を推定し、ステップＳ１１１に進む。
【００２７】
ステップＳ１１１では、制御部１１は、ステップＳ１１０において推定した属性が、記憶部１２に記憶されている設定情報２７から項目Ｃの対象属性の条件を満たすか否かを判断する。たとえば、設定情報２７の項目Ｃが「２０歳以上、女性」で、ステップＳ１１０における推定結果が「３０歳代、女性」である場合には、項目Ｃの条件を満たすと判断する。対象属性の条件を満たすと判断する場合はステップＳ１１２に進み、対象属性の条件を満たさないと判断する場合は図８のフローチャートを終了する。
ステップＳ１１２では、制御部１１は、記憶部１２に記憶されている設定情報２７から項目Ａ３の薬剤の名称を読み取る。制御部１１は、当該腕時計１０の全てのカートリッジ検出部２０に指令を出して薬剤カートリッジ２１の先端の形状を伝達させ、制御部１１のＲＯＭに保存されている対応表１２ａを参照して項目Ａ３に記載の薬剤を含む薬剤カートリッジ２１の挿入位置を特定する。そして、その下に設置されているヒータ１３に通電し図８のフローチャートを終了する。前述のとおり、この通電は一定時間継続され、ファンモータ１４もヒータ１３と連動して一定時間動作する。
【００２８】
第１の実施の形態において、腕時計１０は以下の動作を行う。
腕時計１０は、ヒータ１３と薬剤カートリッジ２１を収納するカートリッジ差込部２２を備え、所定の条件下でヒータ１３に通電して薬剤カートリッジ２１を加熱させ、薬剤カートリッジ２１の含有する芳香剤、またはデオドラント剤を揮発させる。ヒータ１３に通電する条件は、１）感圧スイッチ１５が押されたこと、２）現在時刻がスケジュールの開始時刻から遡ること所定の時間以内であること、３）撮影して得られた画像に所定の面積割合以上で顔が撮影されており、その顔から推定される年齢層および性別が所定の条件を満たすこと、４）薬剤カートリッジ２１が押し込まれたこと、の４つのうちいずれかを満たすことである。
【００２９】
上述した実施の形態によれば、次の作用効果が得られる。
（１）腕時計１０は、交換可能な薬剤カートリッジ２１を収納するカートリッジ差込部２２と、カートリッジ差込部２２に挿入された薬剤カートリッジ２１の薬剤、すなわち芳香剤またはデオドラント剤を加熱するヒータ１３と、装着検出部としての感圧スイッチ１５と、感圧スイッチ１５が圧力を検出することによりユーザの腕の装着された判断するとヒータ１３に加熱を開始させる制御部１１と、を備える。感圧スイッチ１５は当該腕時計１０がユーザの腕に装着されたことを検出する。
そのため、ユーザが腕時計１０を身につけると、薬剤カートリッジ２１に収納された薬剤が加熱されて気化され、ユーザの周囲に芳香効果または消臭効果を与えることができる。デオドラント剤が薬剤カートリッジ２１に収められているためユーザは容易に交換可能であり、残量が僅かになった場合だけでなく気分に応じて異なるデオドラント剤が納められた薬剤カートリッジ２１を使い分けることができる。
【００３０】
（２）腕時計１０は、ユーザのスケジュールの開始時刻を保存する記憶部１２と、交換可能な薬剤カートリッジ２１を収納するカートリッジ差込部２２と、カートリッジ差込部２２に挿入された薬剤カートリッジ２１の薬剤、すなわち芳香剤またはデオドラント剤を加熱するヒータ１３と、記憶部１２に保存されるスケジュールの開始時刻よりも設定情報２７の項目Ｂに記載の時間だけ早い時刻にヒータ１３に加熱を開始させる制御部１１と、を備える。
そのため、スケジュールの開始時刻には当該腕時計１０を装着しているユーザの周囲に気化した薬剤が浮遊しており、芳香効果または消臭効果を与えることができる。
【００３１】
（３）腕時計１０は、交換可能な薬剤カートリッジ２１を収納するカートリッジ差込部２２と、カートリッジ差込部２２に挿入された薬剤カートリッジ２１の薬剤、すなわち芳香剤またはデオドラント剤を加熱するヒータ１３と、被写体を撮影する撮影部１６と、撮影部１６により撮影して得られた画像から人物の顔を検出し、ヒータ１３に加熱を開始させる制御部１１とを備える。
そのため、一定時間ごとに加熱する場合や動作検知により加熱する場合よりも、加熱して気化させた薬剤が人間に吸われる確率を高めることができる。
【００３２】
（４）制御部１１は、制御部１１が検出した顔の大きさが当該顔が検出され画像の所定以上の割合を占める場合にヒータ１３に加熱を開始させる。
そのため、腕時計１０と人間との距離が近い場合には薬剤カートリッジ２１を加熱するが、腕時計１０と人間との距離が遠い場合には薬剤カートリッジ２１を加熱しないため、加熱して気化させた薬剤が人間に吸われる確率が高くなる。すなわち、薬剤の無駄使いが減少する。
【００３３】
（５）制御部１１が検出した顔の画像を用いてその人物の性別および年齢層を顔特徴量データベース２８を用いて推定する制御部１１を備え、制御部１１は、推定した性別および年齢層が設定情報２７の項目Ｃに記載の属性に含まれる場合に、薬剤カートリッジ２１をヒータ１３に加熱を開始させる。
そのため、特定の年齢層および性別の人が周囲に居る場合に、薬剤を気化させて芳香効果または消臭効果を与えることができる。
【００３４】
（変形例１）
第１の実施の形態において、撮影部１６により撮影して得られた画像から顔が検出されても、その顔が撮影画像に占める面積が所定の割合以上であり、なおかつその顔から推定される年齢層および性別が所定の条件を満たさなければ、ヒータ１３に通電しなかった。しかし、検出した顔から年齢層および性別を推定せずに、検出した顔が撮影画像に占める面積が所定の割合以上であればヒータ１３に通電してもよいし、撮影部１６により撮影して得られた画像から顔が検出されたことのみによりヒータ１３に通電してもよい。
【００３５】
（変形例２）
第１の実施の形態において、１）感圧スイッチ１５が押された場合、２）現在時刻がスケジュールの開始時刻から遡ること所定の時間以内である場合、３）撮影部１６が撮影して得られた画像が所定の条件を満たす場合、のそれぞれについて、設定情報２７の項目Ａ１〜Ａ３に記載する種類の薬剤を加熱して放出させた。しかし、いずれの場合も同一の薬剤を加熱して放出してもよい。
【００３６】
また、設定情報２７のＡ１〜Ａ３には薬剤の種類ではなく、ヒータの番号を記入してもよい。制御部１１は、設定情報２７のＡ１〜Ａ３からヒータの番号を読み取ると、当該番号を有するヒータに加熱を開始させてもよい。
なお、第１の実施の形態において腕時計１０は、カートリッジ差込部２２を４つ有していたが、カートリッジ差込部２２の数はこれに限定されない。カートリッジ差込部２２は少なくとも１つあればよい。
【００３７】
（変形例３）
第１の実施の形態において、薬剤カートリッジ２１は、液体の芳香剤またはデオドラント剤を染み込ませた繊維質の物質を含み、これをヒータ１３で加熱することにより気化させたが、薬剤カートリッジ２１の薬剤を保持する形態および薬剤を放出する機構はこれに限定されない。
薬剤カートリッジ２１は、薬剤を液体のまま保存する小容量の容器を備え、微量の薬剤を霧状に放出してもよいし、薬剤を固体またはゲルの形態で保存しヒータ１３による加熱および／またはファンモータ１４による送風によって外部に放出してもよい。
この変形例３によれば、多彩な形態の薬剤を本発明に用いることができる。
【００３８】
（変形例４）
第１の実施の形態において、ウエアラブルデバイスは腕時計の形状を有していたが、本発明はこれに限定されない。本発明に係るウエアラブルデバイスは、ユーザの身体に装着され、少なくとも当該ウエアラブルデバイスの一部が外部に露出していればよい。たとえば、腕輪やネックレスであってもよいし、メガネや髪留め、帽子と一体になっていてもよい。
また、第１の実施の形態において、腕時計１０がユーザの身体に装着されたことを検出するために感圧スイッチ１５を用いたが、装着されたことを検出するセンサはこれに限定されない。近接センサや距離センサを用いて所定の距離、たとえば３ｍｍ以内に近づいたことにより検出してもよいし、温度計により体温を所定の時間以上継続して測定されたことにより検出してもよい。さらに、ウエアラブルデバイスに内蔵したひずみセンサにより、装着されたことによる当該ウエアラブルデバイスの変形を検出してもよい。
【００３９】
（第２の実施の形態）
図９〜１１を参照して、本発明を腕時計に適用する第２の実施の形態を説明する。以下の説明では、第１の実施の形態と同じ構成要素には同じ符号を付して相違点を主に説明する。特に説明しない点については、第１の実施の形態と同じである。本実施の形態では、主に、臭いが検出された際にヒータ１３に通電する点、および認識した顔ごとに登録した香りを放出する点で、第１の実施の形態と異なる。
図９は、第２の実施の形態における、腕時計１０の構成および腕時計１０が通信する携帯端末３０の構成を示すブロック図である。第２の実施の形態における腕時計１０の構成は、第１の実施の形態における構成に加えて、臭気検出部４１を備える点、および記憶部１２が嗜好芳香リスト４０をさらに記憶する点が主に異なる。また、設定情報２７の項目が第１の実施の形態に比べて１つ増加している。携帯端末３０の構成は、第１の実施の形態と同様である。
【００４０】
ヒータ１３は、温度制御回路をさらに備え、少なくとも高中低の３段階に温度を制御できる。目標温度は制御部１１から伝達される。
ファンモータ１４は、回転制御回路をさらに備え、少なくとも高中低の３段階に回転数を制御できる。目標回転数は制御部１１から伝達される。
嗜好芳香リスト４０は、ある人が好む香りの情報を、その人の顔の特徴量とともに記録した表であり、たとえば図１０に示すものである。
【００４１】
図１０は、嗜好芳香リスト４０の一例であり、ある４人の顔の特徴量と、それぞれの特徴量に、香り、加熱量、風量が関連付けられている。ただし、顔の特徴量は情報量が多いため記憶部１２に別途保存し、その番号のみを「特徴量番号」として嗜好芳香リスト４０に記録している。「香り」は、薬剤カートリッジ２１の名称を、「加熱量」は、ヒータ１３の加熱量を、「風量」はファンモータ１４の風量を表す。
臭気検出部４１は、臭いの強さに応じて抵抗値が変化するセンサを有しており、制御部１１からの指令により抵抗値を測定して、臭いの強さに応じた数値を制御部１１に出力する。たとえば、センサは金属酸化物であり、臭いの強さに応じて無臭を「０」、最大を「１０」として制御部１１に出力する。
設定情報２７は、第１の実施の形態における構成に加えて、Ａ４として臭気を検出した際に放出される薬剤の種類を有する。図１１は、第２の実施の形態における設定情報２７の一例を示しており、Ａ４の記載から臭気を検出すると消臭成分が放出されることがわかる。
【００４２】
（動作）
第２の実施の形態における腕時計１０の動作を説明する。第２の実施の形態における腕時計１０は、第１の実施の形態における動作に加えて、以下の動作を行う。
制御部１１は、一定時間ごとに臭気検出部４１により臭いを検出させ、検出された臭いが所定の強さ以上、たとえば臭いの強さが「４」以上であれば、記憶部１２に記憶されている設定情報２７から項目Ａ４の薬剤の名称を読み取る。制御部１１は、当該腕時計１０の全てのカートリッジ検出部２０に指令を出して薬剤カートリッジ２１の先端の形状を伝達させ、制御部１１のＲＯＭに保存されている対応表１２ａを参照して項目Ａ４に記載の薬剤を含む薬剤カートリッジ２１の挿入位置を特定する。そして、その下に設置されているヒータ１３に通電する。前述のとおり、この通電は一定時間継続され、ファンモータ１４もヒータ１３と連動して一定時間動作する。
【００４３】
また、腕時計１０の制御部１１が一定時間ごとに実行するプログラムの一部、図８のステップＳ１１２を以下のように変更する。すなわち、ステップＳ１１２では、制御部１１は、ステップＳ１１０において算出した顔の特徴量と一致する、嗜好芳香リスト４０に記載の特徴量を検索する。そして、一致する特徴量がある場合は、嗜好芳香リスト４０に記載された、一致する特徴量の欄に記載の薬剤カートリッジ２１を、一致する特徴量の欄に記載の加熱量・風量にて加熱するようにヒータ１３に指令を出し、図８のフローチャートを終了する。一致する特徴量がない場合は、第１の実施の形態と同様に、記憶部１２に記憶されている設定情報２７から項目Ａ３の薬剤の名称を読み取る。制御部１１は、当該腕時計１０の全てのカートリッジ検出部２０に指令を出して薬剤カートリッジ２１の先端の形状を伝達させ、制御部１１のＲＯＭに保存されている対応表１２ａを参照して項目Ａ３に記載の薬剤を含む薬剤カートリッジ２１の挿入位置を特定する。そして、その下に設置されているヒータ１３に通電し図８のフローチャートを終了する。前述のとおり、この通電は一定時間継続され、ファンモータ１４もヒータ１３と連動して一定時間動作する。
【００４４】
第２の実施の形態において、腕時計１０は第１の実施の形態に加えて以下の動作を行う。
腕時計１０は、顔の特徴量と、香りと、加熱量と、風量とを関連付けて保存する嗜好芳香リスト４０および臭気検出部４１をさらに備える。撮影部１６により撮影して得られた画像から検出した顔の特徴量を算出し、その特徴量が嗜好芳香リスト４０に保存されていると、その特徴量に関連付けられた香りを有する薬剤カートリッジ２１を、その特徴量に関連付けられた条件で加熱する。また、一定時間ごとに臭気検出部４１により臭気を検出し、所定の強度以上の臭気が検出された場合は、設定情報２７を参照して所定の薬剤カートリッジ２１を加熱して臭気を和らげる。
【００４５】
上述した実施の形態によれば、次の作用効果が得られる。
腕時計１０は、交換可能な薬剤カートリッジ２１を収納するカートリッジ差込部２２と、所定の時間間隔ごとに臭いを検出する臭気検出部４１と、カートリッジ差込部２２に挿入された薬剤カートリッジ２１の薬剤、すなわち芳香剤またはデオドラント剤を加熱するヒータ１３と、臭気検出部４１が所定の強さ以上の臭気を検出するとヒータ１３に加熱を開始させる制御部１１と、を備える。
そのため、臭気による腕時計１０のユーザや周囲の人の不快感を軽減することができる。
【００４６】
上述した各実施の形態および変形例は、それぞれ組み合わせてもよい。
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００４７】
１０  …  腕時計
１１  …  制御部
１２  …  記憶部
１２ａ  …  対応表
１３  …  ヒータ
１４  …  ファンモータ
１５  …  感圧スイッチ
１６  …  撮影部
１７  …  通信部
１８  …  表示部
１９  …  入力部
２０  …  カートリッジ検出部
２１  …  薬剤カートリッジ
２２  …  カートリッジ差込部
２３  …  通気孔
２５  …  時計バンド
２６  …  精密機器収納部
２７  …  設定情報
２８  …  顔特徴量データベース
２９  …  タイマー時刻表
３０  …  携帯端末
４０  …  嗜好芳香リスト
４１  …  臭気検出部
【図１】
2015228943.tif 000003
【図２】
2015228943.tif 000004
【図３】
2015228943.tif 000005
【図４】
2015228943.tif 000006
【図５】
2015228943.tif 000007
【図６】
2015228943.tif 000008
【図７】
2015228943.tif 000009
【図８】
2015228943.tif 000010
【図９】
2015228943.tif 000011
【図１０】
2015228943.tif 000012
【図１１】
2015228943.tif 000013